(57)【特許請求の範囲】
【請求項１】
保管コンテナであって、
前記保管コンテナ内部に操作可能に設置されたファイルフォルダ内に位置する文書の遠隔位置設定及び取出しを可能にするための回路構成を有する、保管コンテナにおいて、
前記保管コンテナは：
基部壁；
前記基部壁に接続された複数の直立壁部材であって、前記基部壁及び前記複数の直立壁部材はエンクロージャ容積を画定する、複数の直立壁部材；
略平行かつ互いに離間した状態で、前記複数の直立壁部材のうちの少なくとも１つにそれぞれ固定された、第１及び第２の導電性支持部材であって、前記第１の導電性支持部材と前記第２の導電性支持部材との間隔は、前記ファイルフォルダの端部を機械的に支持するように収容するのに十分である、第１及び第２の導電性支持部材;
ファイルフォルダアドレス信号が、前記第１及び第２の導電性支持部材が支持する任意の前記ファイルフォルダに連結されるように、前記直立壁部材のうちの１つに固定され、かつソースが供給する前記ファイルフォルダアドレス信号を前記第１及び第２の導電性支持部材のうちの少なくとも１つに提供するために前記第１及び第２の導電性支持部材にオーミック結合された、電気的入力コネクタ；並びに
保管コンテナインジケータ
を含み、
これによって、前記第１及び第２の導電性支持部材に操作可能に設置された前記ファイルフォルダが、前記ファイルフォルダアドレス信号に一致するアドレスを有し、かつ前記保管コンテナが別の前記保管コンテナに電気的に連結される場合に、前記保管コンテナインジケータを作動させるためのインジケータ制御回路を含み、
前記インジケータ制御回路は：
前記電気的入力コネクタと前記第１及び第２の導電性支持部材のうちの１つとの間に連結された、固定抵抗器（５１）；
前記固定抵抗器と前記第１及び第２の導電性支持部材のうちの前記１つとの接合部において電圧値を検出するための、前記接合部に連結された入力及び出力を有する手段；並びに
前記手段の前記出力に連結された入力と、前記電圧値が閾値に達すると前記保管コンテナインジケータを作動させるための、前記保管コンテナインジケータに連結された出力とを有する制御ユニット
をさらに含む、保管コンテナ。
【請求項２】
前記ファイルフォルダは、前記アドレスを記憶する電子回路と、前記ファイルフォルダアドレス信号に含まれるアドレスと前記アドレスとが一致したときに作動する視認型アドレス一致インジケータとを備え、
前記手段は、前記視認型アドレス一致インジケータを作動させる電流が前記固定抵抗器を流れるときの電圧値を検出するように構成されている請求項１に記載の発明。
【請求項３】
前記保管コンテナインジケータは、前記保管コンテナの外部から視認できる場所にある前記複数の直立壁部材のうちの１つに取り付けられた光源を備える、請求項２に記載の発明。
【請求項４】
前記光源はＬＥＤである、請求項３に記載の発明。
【請求項５】
前記手段は演算増幅器を備える、請求項２に記載の発明。
【請求項６】
前記制御ユニットはマイクロコントローラを備える、請求項２に記載の発明。
【請求項７】
前記直立壁部材のうちの１つに固定され、前記ソースが供給するファイルフォルダ検索信号を前記第１及び第２の導電性支持部材のうちの少なくとも１つに提示するために前記電気的入力コネクタに連結された、電気的出力コネクタを更に含み、
これにより、前記ファイルフォルダ検索信号を、前記電気的出力コネクタに連結された電気的入力コネクタを有する別の文書保管コンテナに位置する導電性支持部材に連結できる、請求項１に記載の発明。
【請求項８】
保管コンテナが受承するファイルフォルダ内に位置する文書の遠隔位置設定及び取出しを可能にするための、可搬型文書保管コンテナのアレイであって、
前記アレイは請求項１ないし７のいずれかに記載の保管コンテナから構成された複数の文書保管コンテナを備え、
また前記アレイは、ソースが供給するファイルフォルダ検索信号を前記ソースに接続された前記文書保管コンテナの前記第１の及び第２の導電性支持部材のうちの少なくとも１つに提供するための、前記複数の文書保管コンテナのうちの１つの入力コネクタに連結された出力を有する、コントローラを備え、
前記ファイルフォルダ検索信号は、前記電気的に相互連結されたアレイ内の前記文書保管コンテナの全てに連結され、これによって前記ファイルフォルダ検索信号は、前記相互連結されたアレイ内の前記文書保管コンテナのうちのいずれかにおいて、前記第１及び第２の導電性支持部材が支持する任意のファイルフォルダに連結される、アレイ。
【請求項９】
前記複数の文書保管コンテナの全ては電気的に相互連結される、請求項８に記載の発明。
【請求項１０】
前記インジケータ制御回路は：
前記電気的入力コネクタと前記第１及び第２の導電性支持部材のうちの１つとの間に連結された、固定抵抗器；
前記固定抵抗器と前記第１及び第２の導電性支持部材のうちの前記１つとの接合部において電圧値を検出するための、前記接合部に連結された入力及び出力を有する手段；並びに
前記手段の前記出力に連結された入力と、前記電圧値が閾値に達すると前記保管コンテナインジケータを作動させるための、前記保管コンテナインジケータに連結された出力とを有する制御ユニット
を含む、請求項８に記載の発明。
【請求項１１】
前記保管コンテナインジケータは、前記保管コンテナの外部から視認できる場所にある前記複数の直立壁部材のうちの１つに取り付けられた光源を備える、請求項８に記載の発明。
【請求項１２】
前記光源はＬＥＤである、請求項１１に記載の発明。
【請求項１３】
前記手段は演算増幅器を備える、請求項１０に記載の発明。
【請求項１４】
前記制御ユニットはマイクロコントローラを備える、請求項１０に記載の発明。
【発明の詳細な説明】
【技術分野】
【０００１】
本発明は一般に、コンテナ内部に位置する目標物の遠隔電子検索を可能にするように設計された保管コンテナに関する。より詳細には、本発明は、検索目標物が所定のコンテナ内にある場合は常に作動する、上記保管コンテナ用のインジケータ回路に関する。
【背景技術】
【０００２】
いくつかの既知の保管コンテナは、電気的に相互接続された複数の保管コンテナの集合体の中のどこかに位置する、ファイルフォルダ及び上記ファイルフォルダ内部の文書等の目標物の遠隔電子検索を可能にするための独特な設計に従って構成されている。「Ｓｔｏｒａｇｅ  Ｃｏｎｔａｉｎｅｒ  Ｆｏｒ  Ｅｌｅｃｔｒｏｎｉｃａｌｌｙ  Ａｄｄｒｅｓｓａｂｌｅ  Ｆｉｌｅ  Ｆｏｌｄｅｒｓ  ａｎｄ  Ｄｏｃｕｍｅｎｔｓ」について２０１３年１月８日に出願された同一出願人による係属中の特許文献１は、このようなコンテナの設計を開示しており、上記文献は参照により本明細書に援用される。図１を参照すると、各コンテナ１０は、上部縁辺に近いコンテナ１０内部に取り付けられた１組の導電性支持レール１７、１８を備えている。レール１７、１８はある量だけ側方に離間しており、上記量は、コンテナ１０内部に着脱可能に設置されたファイルフォルダ２０（明確にするために図１では１つしか示していない）の中に組み込まれた支持ブレース２１、２２の端部を受承することによって、各ファイルフォルダ２０に対する機械的な支持と、ファイルフォルダ２０の支持ブレース２１、２２（図示したような支持ブレース２１）のうちの１つの中に位置するアドレスデコーダを含む回路構成への電気的接続との両方を提供できるように設定される。また、支持ブレース２１の回路構成は、１組の視認型インジケータ、つまり電源投入インジケータ２３及びアドレス一致インジケータ２４（それぞれ、好ましくはＬＥＤ）も含む。支持ブレース２１の回路構成は、「Ｄｏｃｕｍｅｎｔｓ  Ｍａｎａｇｅｍｅｎｔ  Ｕｓｉｎｇ  Ｒｅｍｏｔｅ  Ｄｏｃｕｍｅｎｔ  Ｌｏｃａｔｉｏｎ  Ａｎｄ  Ｒｅｔｒｉｅｖａｌ」について２０１０年７月２日に出願された、同一出願人による同時係属中の特許文献２に記載及び例示されており、上記文献の開示は参照により本明細書に援用される。
【先行技術文献】
【特許文献】
【０００３】
【特許文献１】米国特許出願第１３／６９４８２９号
【特許文献２】米国特許出願第１２／８０３７１２号
【発明の概要】
【発明が解決しようとする課題】
【０００４】
コンテナ回路基板（図１では図示せず）はコンテナ１０内に取り付けられ、ローカルコントローラを介してホストコンピュータによって供給される、場所を突き止めるべきフォルダ又は文書を識別する一意のアドレス信号を受信するための電子回路構成を含む。レール１７、１８は個々にコンテナ回路基板上の電子回路構成に連結される。つまり、レールのうちの１つ（レール１７）は、ローカルコントローラからアドレス信号を受信し、コンテナ１０内に存在する全てのファイルフォルダ２０にアドレス信号を供給し、コンテナ回路基板の電子回路構成にファイルフォルダからの応答信号を提供する。これらの応答信号はローカルコントローラに連結され、ローカルコントローラは信号に含まれている情報をホストコンピュータに送信する。応答信号の情報は、発見されたフォルダが位置する保管コンテナの識別を含む。ファイルフォルダ２０上の視認型電源投入インジケータ２３は、フォルダブレース２１がレール１７、１８にオーミック接続されている場合は常に作動し、これにより、ファイルフォルダ２０が正しく設置されており、かつ操作可能であることを示す。インジケータ２３は好ましくは、作動時の電流引込みがわずか約０．３ｍＡと比較的低いＬＥＤである。視認型アドレス一致インジケータ２４は、フォルダブレース２１内の回路構成に記憶されたアドレスがレール１７を介してローカルコントローラによってファイルフォルダ回路構成に供給されたフォルダアドレスに一致する場合は常に作動する。インジケータ２４は好ましくは、作動時に約１５．０ｍＡの実質的にはより大きな電流引込みを有するＬＥＤである。
【０００５】
また各コンテナ１０は、（壁１２等の）壁上の、保管コンテナ１０の視距離範囲内に立っている人間のオペレータが視認できる位置に取り付けられた、視認型インジケータ２５も有する。インジケータ２５は、コンテナ回路基板上の電子回路構成に連結され、ホストコンピュータによって供給されるアドレス信号がそのコンテナ１０内に位置するファイルフォルダ又は文書を指定する場合は常に点灯する。入力コネクタ３２及び出力コネクタ３３は、壁１２等のコンテナ１０の壁のうちの１つに取り付けられる。入力コネクタ３２はローカルコントローラを介してホストコンピュータからアドレス信号を受信する。出力コネクタ３３は、あるコンテナ１０から別のコンテナにアドレス信号を連結し、任意のコンテナからローカルコントローラに検索結果情報を返す。ローカルコントローラは、この情報をホストコンピュータに送信する。
【０００６】
図２は、上記保管コンテナを積み重ねたアレイを示す。この図に見られるように、複数の保管コンテナ１０−１、１０−２、…、１０−ｎが縦のアレイとして積み重ねられている。各コンテナ１０−Iは入力コネクタ３２−１、３２−２、…、３２−ｎ、及び出力コネクタ３３−１、３３−２、…、３３−ｎを有する。ローカルコントローラ４５は、遠隔ホストコンピュータ（図示せず）からアドレス信号を受信し、コンテナ１０−１の入力ケーブル４６及び入力コネクタ３２−１によってコンテナ１０−１のうちの１つにこれらの信号を供給する。アドレス入力信号は、１つのコンテナ１０−Iの出力コネクタ３３−Iと、次のコンテナ１０−Ｉの入力コネクタ３２−Iとの間に個別に接続されるジャンパケーブル３４−１、３４−２、…、３４−ｎ−１によってスタックの残りのコンテナに連結される。好ましい実施形態では、コネクタ３２−I、３３−I及びケーブル３４−I、４６は、標準的なＵＳＢデバイスである。
【０００７】
図２の配置は、正しく検索されたアドレスを有するファイルフォルダ２０が位置するコンテナ１０−Iの視認型インジケータ２５−Iを一意に点灯させるための設備を備えていない。これは、１つのコンテナ１０のみがローカルコントローラ４５に接続されている場合には問題にならない。しかしながら、上述のタイプの複数の保管コンテナ１０−Iが図２に示すように相互接続され、コンテナのうちの１つが検索されたファイルフォルダを保持している場合、保管コンテナ１０−Iの全ての視認型インジケータ２５−Iが作動する。これにより、人間のオペレータは、作動したアドレス一致ＬＥＤ２４を有するファイルフォルダの場所が突き止められるまでスタック内の各保管コンテナ１０−Iの内部を目視検査する必要があり、検索プロセスが過度に長引く。
【課題を解決するための手段】
【０００８】
本発明は、一致するアドレスを有する検索されたファイルフォルダが位置する保管コンテナのインジケータのみが作動し、一方で保管コンテナの相互接続されたアレイ内のコンテナインジケータの残りは作動しないままとなることを保証する、上述のタイプの保管コンテナ用のインジケータ回路を備える。
【０００９】
最も広義の態様では、本発明は、保管コンテナ内部に操作可能に設置されたファイルフォルダ内に位置する文書の遠隔位置設定及び取出しを可能にするための回路構成を有する上記保管コンテナにおける改善策を含む。上記保管コンテナは：基部壁；上記基部壁に接続された複数の直立壁部材であって、上記基部壁及び上記複数の直立壁部材はエンクロージャ容積を画定する、複数の直立壁部材；略平行かつ互いに離間した状態で、壁部材のうちの少なくとも１つにそれぞれ固定された、第１及び第２の導電性支持部材であって、上記第１の支持部材と上記第２の支持部材との間隔は、ファイルフォルダの端部を機械的に支持するように収容するのに十分である、第１及び第２の導電性支持部材;ファイルフォルダアドレス信号が、支持部材が支持する任意のファイルフォルダに連結されるように、上記直立壁部材のうちの１つに固定され、かつソースが供給するファイルフォルダアドレス信号を上記第１及び第２の支持部材のうちの少なくとも１つに提供するために第１及び第２の支持部材にオーミック結合された、電気的入力コネクタ；並びに保管コンテナインジケータを含む。この改善策は、第１及び第２の導電性支持部材に操作可能に設置されたファイルフォルダがファイルフォルダアドレス信号に一致するアドレスを有し、かつ保管コンテナが別の保管コンテナに電気的に連結される場合に保管コンテナインジケータを作動させるためのインジケータ制御回路を含む。
【００１０】
インジケータ制御回路は好ましくは：入力コネクタと第１及び第２の導電性支持部材のうちの１つとの間に連結された固定抵抗器；固定抵抗器と第１及び第２の導電性支持部材のうちの上記１つとの接合部において電圧値を検出するための、接合部に連結された入力及び出力を有する手段；並びに上記検出手段の出力に連結された入力と、電圧値が閾値に達した場合に保管コンテナインジケータを作動させるための、保管コンテナインジケータに連結された出力とを有する制御ユニットを含む。
【００１１】
保管コンテナインジケータは好ましくは、コンテナの外部から視認できる場所にある壁部材のうちの１つに取り付けられた光源、最も好ましくはＬＥＤを含む。
【００１２】
検出手段は好ましくは演算増幅器を備え、制御ユニットは好ましくはマイクロコントローラを備える。
【００１３】
また、保管コンテナは、直立壁部材のうちの１つに固定され、ソースが供給するファイルフォルダ検索信号を第１及び第２の支持部材のうちの少なくとも１つに提示するために入力コネクタに連結された、電気的出力コネクタも含み、これによりファイルフォルダ検索信号を、電気的出力コネクタに連結された電気的入力コネクタを有する別の文書保管コンテナに位置する支持部材に連結できる。
【００１４】
別の態様では、本発明は、保管コンテナが受承するファイルフォルダ内に位置する文書の遠隔位置設定及び取出しを可能にするための、可搬型文書保管コンテナのアレイを含む。このアレイは複数の文書保管コンテナを備え、上記複数の文書保管コンテナはそれぞれ：基部壁；上記基部壁に接続された複数の直立壁部材であって、上記基部壁及び上記複数の直立壁部材はエンクロージャ容積を画定する、複数の直立壁部材；略平行かつ互いに離間した状態で、壁部材のうちの少なくとも１つにそれぞれ固定された、第１及び第２の導電性支持部材であって、上記第１の支持部材と第２の支持部材とのの間隔は、ファイルフォルダの端部を機械的に支持するように収容するのに十分である、第１及び第２の導電性支持部材；直立壁部材のうちの１つに固定され、かつソースが供給するファイルフォルダアドレス信号を第１及び第２の支持部材のうちの少なくとも１つに提供するために第１及び第２の支持部材にオーミック結合された電気的入力コネクタ；直立壁部材のうちの１つに固定され、電気的入力コネクタにオーミック結合された電気的出力コネクタであって、文書保管コンテナのいくつか（好ましくは全て）の上記出力コネクタは、電気的に相互連結されたアレイを形成するために文書保管コンテナのうちの他の保管コンテナの入力コネクタに連結され、これによってファイルフォルダアドレス信号は、相互連結されたアレイ内の保管コンテナの全てにおいて、支持部材が支持する任意のファイルフォルダに連結される、電気的出力コネクタ；保管コンテナインジケータ；並びに第１及び第２の導電性支持部材に操作可能に設置されたファイルフォルダがファイルフォルダアドレス信号に一致するアドレスを有する場合に、保管コンテナ内の保管コンテナインジケータを作動させるための、インジケータ制御回路を有する。また上記アレイは、ソースが供給するファイルフォルダ検索信号をソースに接続された文書保管コンテナの第１及び第２の支持部材のうちの少なくとも１つに提供するための、複数の文書保管コンテナのうちの１つの入力コネクタに連結された出力を有する、コントローラを有し、ファイルフォルダ検索信号は、電気的に相互連結されたアレイ内の文書保管コンテナの全てに連結され、これによってファイルフォルダ検索信号は、相互連結されたアレイ内の文書保管コンテナのうちのいずれかにおいて支持部材が支持する任意のファイルフォルダに連結される。
【００１５】
インジケータ制御回路は好ましくは：入力コネクタと第１及び第２の導電性支持部材との間に連結された固定抵抗器；固定抵抗器と第１及び第２の導電性支持部材のうちの上記１つとの接合部において電圧値を検出するための、接合部に連結された入力及び出力を有する手段；並びに検出手段の出力に連結された入力と、電圧値が閾値に達した場合に保管コンテナインジケータを作動させるための保管コンテナインジケータに連結された出力とを有する制御ユニットを含む。
【００１６】
保管コンテナインジケータは好ましくは、上記コンテナの外部から視認できる場所にある壁部材のうちの１つに取り付けられた光源、最も好ましくはＬＥＤを備える。
【００１７】
好ましい実施形態では、検出手段は演算増幅器を含み、制御ユニットはマイクロコントローラを備える。
【００１８】
本発明の性質及び利点のより完全な理解のために、添付の図面と併せて解釈される以下の発明の詳細な説明を参照するべきである。
【図面の簡単な説明】
【００１９】
【図１】図１は、本発明を組み込む保管コンテナの好ましい実施形態の斜視図である。
【図２】図２は、図１に示したタイプの複数の保管コンテナの積層された構成、及びローカルコントローラを示す概略斜視図であり、ここで保管コンテナは、ケーブルによって電気的に相互接続されている。
【図３】図３は、本発明によるインジケータ回路の概略図である。
【発明を実施するための形態】
【００２０】
ここで図面を参照すると、上述した図１、図２は、関連付けられたローカルコントローラによって電子的にアドレス指定可能であるファイルフォルダ用の複数の基本的に同一の保管コンテナ１０−Iが、積層構成で配置され、データケーブル及び電源ケーブルによって電気的に相互接続される保管コンテナシステムを示す。好ましい実施形態では、各保管コンテナ１０−Iは、作動時に約１５．０ｍＡの電流引込みのあるＬＥＤである保管コンテナインジケータ２５−Iを備える。
【００２１】
各保管コンテナ１０−I内部に位置するのは、図３に示す保管コンテナインジケータ作動回路である。この図に見られるように、回路基板５０の上には、レジスタ５１、増幅器５２、マイクロコントローラユニット（ＭＣＵ）５３、アイソレータ回路５８が取り付けられている。好ましい実施形態では、レジスタ５１は０．５オームの１ワットレジスタであり、増幅器５２はＭＣＰ６００２型の演算増幅器であり、ＭＣＵ５３はアリゾナ州、チャンドラーのＭｉｃｒｏｃｈｉｐ  Ｔｅｃｈｎｏｌｏｇｙから入手できるＰＩＣ１６Ｆ１８２３型のマイクロコントローラユニットである。アイソレータ回路５８は、ＭＣＵ５３が位置する保管コンテナの識別（ＩＤ送信信号）等の、ＭＣＵ５３が生成する発信応答信号から正データコンダクタ５５の入信信号を隔離するために使用される。
【００２２】
レジスタ５１の一方の端子はＵＳＢバスの正のデータコンダクタ５５に接続される。レジスタ５１の他方の端子は増幅器５２のアクティブ信号入力に、及び導電性レール１７に連結される。増幅器５２の出力はＭＣＵ５３のデータ入力に連結される。ＭＣＵ５３の制御出力は、関連付けられた保管コンテナのインジケータ２５の陽極に連結される。インジケータ２５の陰極端子は、ＵＳＢバスの負データコンダクタ５６に接続される。
【００２３】
動作中、正データコンダクタ５５での入信アドレスは、レジスタ５１及びレール１７を介して、図２に関して上述したたように相互接続された全ての保管コンテナに操作可能に設置された全てのフォルダのブレース２１の電子回路構成に連結される。入信アドレスが、図３に示すブレース２１等のブレース２１のうちの１つの電子回路構成に記憶されたアドレスに一致する場合、そのブレース２１の視認型アドレス一致インジケータ２４が作動する。視認型アドレス一致インジケータ２４の作動によって、相当な電流が、アドレス指定されたブレース２１を含む保管コンテナのレジスタ５１を通って流れる。これによって増幅器５２の出力は状態を変化させ、これが保管コンテナ視認型インジケータ２５を作動させるための信号を生成するように、ＭＣＵ５３に信号を送信する。入信アドレスは一意であるため、他のフォルダブレース視認型インジケータ２４が作動することはない。結果的に、アドレス指定されたフォルダが位置する保管コンテナの保管コンテナ視認型インジケータ２５のみが作動する。その結果、人間のオペレータは、作動した視認型インジケータ２５を有する保管コンテナだけを探し、その保管コンテナに進んで、検索されたファイルフォルダ２０を取り出すことができる。
【００２４】
上述のように、各ファイルフォルダ２０は、関連付けられたファイルフォルダ２０が保管コンテナに操作可能に設置されている場合に常に作動する視認型電源投入インジケータ２３を備える。保管コンテナインジケータ作動回路のための初期パラメータを確立する際に、所定の保管コンテナによって収容できる最大数のフォルダ２０のための視認型電源投入インジケータ２３の総電流引込みが計算され、結果として得られた値は増幅器５２の動作閾値を設定するために使用される。これにより、その保管コンテナのファイルフォルダ２０内でアドレス一致が起こった場合に、増幅器５２が視認型インジケータ２５のための作動信号を生成するようにＭＣＵ５３に信号を送信するだけであることを保証する。
【００２５】
ここで明らかになるように、本発明を組み込んだ保管コンテナは、そのフォルダアドレスを含む電子回路構成を有するファイルフォルダへのファイルフォルダアドレスの提示に一意の観察可能な応答を提供する利点を提供する。特に保管コンテナ視認型インジケータ２５のうちのただ１つだけが、データバスのデータコンダクタ５５上に提示されるアドレスとフォルダブレース回路構成に記憶されたフォルダアドレスとの間のアドレス一致に応じて作動する。１つの保管コンテナ視認型インジケータ２５だけしか作動しないため、バス上に提示されたアドレスによって識別された検索フォルダを収容する保管コンテナの場所を突き止めることは、作動した視認型インジケータ２５を用いて保管コンテナを探すという簡単な問題に還元される。
【００２６】
上記は本発明の好ましい実施形態の十分かつ完全な開示を提供するが、当業者は多様な修正形態、代替構成、及び同等物に気付くだろう。例えば本発明を、視認型インジケータ２５に関して説明及び例示したが、本発明は、可聴式インジケータ、又は視認型インジケータと可聴式インジケータの両方の組合せを有する保管コンテナアレイにも等しく適用可能である。さらに本発明を、縦に積層された保管コンテナのアレイとの関連で説明及び例示したが、本発明は、横に、又は縦横両方に配置される保管コンテナのアレイにも等しく適用可能である。さらに、本発明は、図示され、説明されているケーブル配置よりも他のタイプの保管コンテナバス相互接続配置にも適合する。１つのこのような代替相互接続配置は、「Ｔｗｏ  Ｓｔａｇｅ  Ｄｒａｗ  Ｌａｔｃｈ  Ｆｏｒ  Ｓｔａｃｋａｂｌｅ  Ｓｔｏｒａｇｅ  Ｂｏｘ  Ｗｉｔｈ  Ｒｅｍｏｖａｂｌｅ  Ｃｏｖｅｒ」について、２０１３年７月１６日に出願された同一出願人による同時係属米国特許出願第１３／９８７３５２号に示され、説明されており、その開示は参照により本明細書に援用される。したがって、上記は添付の特許請求の範囲によって定義される、本発明を限定するとして解釈されるべきではない。
【符号の説明】
【００２７】
１０、１０−１、１０−２、…、１０−ｎ  保管コンテナ
２０  ファイルフォルダ
２５、２５−I  保管コンテナインジケータ
３２  入力コネクタ
３３  出力コネクタ
５２  増幅器
【図１】
0006676306.tif 000002
【図２】
0006676306.tif 000003
【図３】
0006676306.tif 000004